(57)【特許請求の範囲】
【請求項１】
給水された洗浄水を吐出する洗浄ノズルにおいて、
給水された洗浄水を旋回させる円筒形状の旋回室と、該旋回室に繋がる貫通穴とを備えた旋回室ユニットと、
前記貫通穴から一端を前記旋回室ユニットの外部に臨ませるようにして前記旋回室に組み込まれて前記旋回室において傾斜姿勢を取ると共に、他端が旋回室内を自由に回転可能な旋回部材であって、前記旋回室へ供給された洗浄水の運動エネルギーから直接受ける力と該運動エネルギーにより生じる揚力および遠心力によって前記傾斜姿勢で旋回する前記旋回部材と、
前記旋回室に洗浄水を供給する旋回室流入路とを備え、
前記旋回部材は、前記旋回室の外部に臨んだ前記一端の側から洗浄水を吐水する吐水口と、前記旋回室の洗浄水を導き入れる給水口と、該給水口と前記吐水口とを連通させる吐水流路とを備え、前記傾斜姿勢での前記旋回部材の前記他端と前記旋回室の内周との間が空くように前記旋回室に組み込まれ、
前記旋回室流入路は、流入路断面形状が旋回室の軸方向に沿った辺の方が旋回室の半径方向に沿った辺より長くされた縦長の形状とされ、前記旋回室流入路の流路方向と直行し旋回室の中心軸を通る断面に対して、旋回室の中心軸より偏心して配置され、前記傾斜姿勢の前記旋回部材と前記旋回室の内面との間に向けて前記旋回室の内周面に沿って洗浄水を供給することを特徴とする洗浄ノズル。
【請求項２】
前記旋回室流入路の外側端面は、旋回室の接線方向に配置したこと特徴とする請求項１記載の洗浄ノズル。
【請求項３】
前記旋回ユニットは、前記旋回室を塞ぐように配置されたガイドを備え、該ガイドに前記貫通穴を備える請求項１または請求項２に記載の洗浄ノズル。
【請求項４】
前記ガイドは、前記旋回部材の傾斜角度を規制する規制部を旋回室内に備える請求項３に記載の洗浄ノズル。
【請求項５】
請求項１ないし請求項４いずれかに記載の洗浄ノズルにおいて、
更に、
洗浄水を前記旋回室に至る前に旋回室外側の周方向において一旦満たすバッファ室と、
該バッファ室から前記旋回室に洗浄水を供給するよう前記旋回室の周方向に複数設けられた旋回室流入路とを有することを特徴とする洗浄ノズル。
【請求項６】
前記バッファ室は円筒形状とし、前記旋回室で旋回する洗浄水の旋回方向と同方向になるように、該バッファ室の周面に沿って洗浄水を供給するバッファ室流入路を備えたことを特徴とする請求項５に記載の洗浄ノズル。
【発明の詳細な説明】
【０００１】
【発明の属する技術分野】
本発明は、洗浄水を吐水することにより、洗浄を行う洗浄ノズルに関するものである。
【０００２】
【従来の技術】
この種の洗浄ノズルには、旋回室への洗浄水流入を図ることで、洗浄室内の部材を旋回させ、この部材から吐水するものがある。こうした吐水を図る一手法としては、流入洗浄水で部材を直接旋回させる手法が一般的である（例えば、特許文献１参照）。
【０００３】
【特許文献１】
実開平４−２６０４９号公報
【０００４】
また、本願の出願人は、技術の豊富化を目指し、部材を流入洗浄水で直接旋回させる手法以外の手法についても開発・研究中であり、例えば、円筒状に形成された部屋の周面に沿って洗浄水が供給される旋回室と、この旋回室の貫通穴から一端が突出すると共に、他端が旋回室内を自由に回転可能である吐水流路が穿設された旋回部材とを備え、前記旋回室へ供給された洗浄水の運動エネルギーから直接受ける力と該運動エネルギーにより生じる揚力および遠心力によって前記旋回部材を旋回させるものがあり得る。
【０００５】
また、旋回室に洗浄水を流入させる手法としても、旋回室流入路を対抗する２方向から設け、２方向別々のホースから洗浄水を流入させるような手法があり得る。
【０００６】
【発明が解決しようとする課題】
しかしながら、旋回室の直径が一定で、洗浄水が一定流量において、旋回部材の回転数を低くする場合、旋回室に供給される洗浄水の入水速度を低くすることが必要となり、そのために旋回室流入路の断面積を大きくすると、旋回室流入路は、旋回室に対して偏心させて配置させても、旋回室の中心付近に配置され、洗浄水が旋回室内で流れの剥離を起こし、スムーズに洗浄水を旋回させる事ができなかった。そのため、洗浄水の旋回室への入水速度を希望の値まで低くする必要がある場合、旋回室内で洗浄水がスムーズに旋回するように旋回室の直径を大きくする必要があった。
【０００７】
また、旋回室に洗浄水を供給する旋回室流入路を対抗する2方向から設け、2方向別々のホースから洗浄水を供給する場合、旋回室流入路が一つの場合と比較して、旋回室内で洗浄水が安定して旋回する旋回室流入路の断面積が2倍となり、入水速度が１／２になるが、2方向別々の供給路を有するため大型となっていた。
【０００８】
本発明は、上記課題を解決するためになされたものであり、旋回室への洗浄水流入を図ることで洗浄室内の部材を旋回させ、この部材から吐水する洗浄ノズルにおいて、小型で、旋回部材の回転速度を低くするために旋回室に供給される洗浄水の入水速度を低くさせることを実現した洗浄ノズルを提供するものである。
【０００９】
【課題を解決するための手段およびその作用・効果】
上記目的を達するためになされた本発明の第１の洗浄ノズルは、
給水された洗浄水を吐出する洗浄ノズルにおいて、
給水された洗浄水が旋回を起こし得る旋回室と、
この旋回室の貫通穴から一端を臨ませるようにして前記旋回室に組み込まれると共に、他端が旋回室内を自由に回転可能である吐水流路が穿設された旋回部材であって、前記旋回室へ供給された洗浄水の運動エネルギーから直接受ける力と該運動エネルギーにより生じる揚力および遠心力によって旋回する前記旋回部材とを備え、
前記旋回室に洗浄水を供給する旋回室流入路は、該旋回室流入路の方向と直行し旋回室の中心軸を通る断面に対して、旋回室の中心軸より偏心させた位置に配置し、且つ流入路断面形状が旋回室の半径方向の長さよりも旋回室の軸方向の長さ方向に長い構成とした洗浄ノズルを提供する。このような構成とすることによって、旋回室流入路の断面形状が円形状の場合と比較して、旋回室の半径方向の長さが同じ場合、旋回室流入路の断面積は、大きくなるため、洗浄水の旋回室への入水速度を低くすることが可能となり、旋回部材の回転数を低くすることが可能となる。
【００１０】
また、旋回室流入路の断面積が円形の断面形状の旋回室流入路と同じ場合は、本発明の旋回室流入路は、その断面形状が旋回室の半径方向に小さいため、旋回室の軸方向の長さが長くなる。よって、旋回室の軸方向で長く半径方向で狭くなった流れとして、洗浄水は旋回室に流入する。このため、洗浄水は旋回室内でスムーズに旋回することになり、次の利点がある。
【００１１】
旋回室の直径が大きければ、流入した洗浄水は旋回室内壁に沿って旋回しやすくなり、直径が小さくなるほど旋回はし難くなる。ところが、本発明では、旋回室流入路の断面形状を工夫して旋回室への洗浄水の流入を旋回室軸方向で長い流れとなるようにし、旋回室への洗浄水流入当初から洗浄水自体にスムーズな旋回を付与する。よって、こうしたスムーズな旋回を付与できる分だけ、旋回室を直径の小さなものとすること、即ち、洗浄ノズルの小型化が可能となる。
【００１２】
また、旋回室へは洗浄水流入が旋回室軸方向で長い流れとして流入するので、旋回部材と旋回室内面との間に洗浄水が流れ込みやすくなり、旋回部材回りでは、洗浄水の流速差が顕著となる。こうした流速差は旋回部材に対しては揚力を作用させるので、流速差の顕著化により、確実に揚力を作用させて旋回部材をより確実に旋回させることができる。しかも、流入洗浄水の流れは半径方向の幅が狭いことから、旋回室への洗浄水流入に際して、洗浄水が旋回部材に直接当たるような事態を抑制できるので、旋回室内での洗浄水の旋回の様子、即ち旋回流に不用意な乱れを起こさないようにできる。このため、旋回を起こした洗浄水の運動エネルギーから直接受ける力と該運動エネルギーにより生じる揚力および遠心力によって旋回する旋回部材の旋回の安定化、例えば、旋回軌道の安定化や旋回速度の安定化等を図ることができる。こうした旋回の安定化は、吐水の安定化にも寄与することができる。さらに、旋回流が安定すれば、旋回部材の回りの洗浄水の流速差も顕著となるので、確実に揚力を作用させて旋回部材をより確実に旋回させることができる。
【００１３】
また、本発明の好ましい態様においては、旋回室流入路の外側端面は、旋回室の接線方向に配置することである。
このような構成とすることによって、旋回室流入路の断面が、旋回室の中心に対しての偏りが最大となるため、洗浄水が旋回室内でよりスムーズに旋回することとなり、既述したように、旋回室、延いては洗浄ノズルのより一層の小型化が可能となる。
【００１４】
また、本発明の第２の洗浄ノズルは、
給水された洗浄水を吐出する洗浄ノズルにおいて、
給水された洗浄水が旋回を起こし得る旋回室と、
この旋回室の貫通穴から一端を臨ませるようにして前記旋回室に組み込まれると共に、他端が旋回室内を自由に回転可能である吐水流路が穿設された旋回部材であって、前記旋回室へ供給された洗浄水の運動エネルギーから直接受ける力と該運動エネルギーにより生じる揚力および遠心力によって前記旋回室内で旋回しつつ前記吐水流路から洗浄水を吐水する前記旋回部材とを備え、
更に、
洗浄水を前記旋回室に至る前に旋回室外側の周方向において一旦満たすバッファ室と、
該バッファ室から前記旋回室に洗浄水を供給するよう前記旋回室の周方向に複数設けられた旋回室流入路とを有する構成とした洗浄ノズルを提供する。
このような構成を有する本発明の洗浄ノズルでは、まず、旋回室流入路を複数路有する分だけ、旋回室流入路の総断面積を増やすことができる。このため、給水された洗浄水の流量が同じで有れば、個々の旋回室流入路から旋回室に流入する洗浄水の入水速度を低くすることが可能となり、旋回部材の回転数を低くすることが可能となる。
【００１５】
また、上記の本発明の第２の洗浄ノズルでは、次の利点がある。洗浄水は、バッファ室で満たされて複数の旋回室流入路を経て旋回室に流入する。こうした流入を起こすに当たり、旋回室流入路から旋回室への洗浄水流入は、その流入当初において、各旋回室流入路で同時で起きるのではなく、時間差を持って起きる。例えば、バッファ室への洗浄水流入箇所に近い旋回室流入路と流入箇所から離れた旋回室流入路とでは、時間差を持って旋回室に洗浄水が流入する。よって、旋回部材は、最初に旋回室に流入した洗浄水でまず旋回を起こした状態とされ、こうした状態に旋回部材がある状況下で旋回室に次々と洗浄水が流入するので、旋回部材はより確実に旋回する。また、各旋回室流入路から旋回室への洗浄水の流入量にあっても、その流入当初において差がある。例えば、バッファ室への洗浄水流入箇所に近い旋回室流入路と流入箇所から離れた旋回室流入路とでは、前者が後者よりも多くの量の洗浄水が流入する。これらの結果、旋回部材の始動性、即ち旋回する旋回部材からの吐水の始動性を高めることができる。
【００１６】
また、洗浄水を一旦旋回室外側の周方向に満たすようにバッファ室を設けているため、洗浄水の供給源は一個所でよく、洗浄ノズルを小型化することが可能となる。
【００１７】
また、本発明の好ましい態様においては、前記旋回室に洗浄水を供給する旋回室流入路は、該旋回室流入路の方向と直行し旋回室の中心軸を通る断面に対して、旋回室の中心軸より偏心させた位置に配置し、且つ流入路断面形状が旋回室の半径方向の長さよりも旋回室の軸方向の長さ方向に長い構成とすることである。
このような構成とすることにより、旋回室流入路の断面形状が円形状の場合と比較して、旋回室の半径方向の長さが同じ場合、旋回室流入路の断面積は、大きくなるため、洗浄水の旋回室への入水速度を低くすることが可能となり、旋回部材の回転数を低くすることがさらに可能となる。
【００１８】
また、この態様では、個々の旋回室流入路の断面形状が既述した本発明の第１の洗浄ノズルの同様のものとなることから、個々の旋回室流入路からの流入洗浄水がスムーズな旋回をもたらすことができる。よって、このスムーズな旋回に基づく上記の効果（本発明の第１の洗浄ノズルの効果）がより顕著となる。
【００１９】
また、本発明の好ましい他の態様においては、旋回室流入路の外側端面は、旋回室の接線方向に配置することである。
このような構成とすることによって、旋回室流入路の断面が、旋回室の中心に対しての偏りが最大となるため、洗浄水が旋回室内でスムーズに旋回するための旋回室の直径はさらに小さくすることが可能となる。
【００２０】
また、本発明の好ましいまた別の態様においては、バッファ室は円筒形状とし、前記旋回室で旋回する洗浄水の旋回方向と同方向になるように、該バッファ室の周面に沿って洗浄水を供給するバッファ室流入路を備えた構成とすることである。
このような構成とすることによって、バッファ室内の洗浄水は旋回室内の洗浄水の旋回方向と同方向に旋回することになる。
洗浄水はバッファ室から旋回室へ、旋回室流入路を介して供給されるためバッファ室での旋回成分により洗浄水がスムーズに旋回室へ供給することが可能となり、旋回室流入路の距離を短くすることが可能となる。そのため洗浄ノズルを小型化することが可能となる。
【００２１】
【発明の実施の形態】
以下に、図面に基づいて本発明の実施例について説明する。図１〜図９は本発明の第１の実施例に用いる洗浄ノズルの構成図であり、図１は、洗浄ノズル１の概略斜視図、図２は洗浄ノズル１の分解図である。図示するように、洗浄ノズルは、旋回室ユニット２と、ガイド３と旋回部材４とを備える。
【００２２】
図３は洗浄ノズル１の上面図、図４は、図３におけるA-A断面図である。給水源（図示せず）から供給された洗浄水は、洗浄ノズル１に供給されると旋回室ユニット２内部に設けられた通水路５、旋回室流入路６、旋回室７の順に供給される。
【００２３】
旋回室７は、旋回室ユニット２の先端側において円筒状に形成されており、その内周面に沿って、旋回室流入路６から洗浄水が供給される。旋回部材４は、旋回室７を塞ぐガイド３の貫通穴１１から旋回部材４の一端（吐水口９の側端；図４参照）を臨ませるようにして旋回室７に組み込まれており、旋回部材の他端（給水口８の側端）が旋回室７内を自由に回転可能とされている。また、この旋回部材４は、その長手方向を貫通する吐水流路を備え、吐水流路末端（図４における下端）の給水口８から洗浄水を導き入れ、吐水流路先端の吐水口９から洗浄水を吐水する。その一方、旋回部材４は、旋回室７へ供給された洗浄水の運動エネルギーから直接受ける力と該運動エネルギーにより生じる揚力および遠心力によって、旋回室７において旋回する。
【００２４】
また、旋回部材４は、図４に示すように、ガイド３における貫通穴１１と、ガイド３下端に位置し旋回室７内に入り込んでいる筒状の最大角度規制ガイド１０で、その最大傾斜角度が規制されている。
【００２５】
ここで、旋回室ユニット２における旋回室流入路６と旋回室７の関係について詳しく説明する。図５は旋回室ユニット２の上面図、図6は図５におけるB視である。
図５において、旋回室流入路６の流路方向（流路の軸心に沿った方向）と直交し、旋回室７の中心を通る軸１２における断面をC-C断面とした場合、このC-C断面上における旋回室直径をDとする。旋回室流入路６の断面形状は、図６におけるＢ矢視形状と一致し、C-C断面上における旋回室直径方向の長さをｄ、旋回室の軸方向の長さをｈとすると、この旋回室の軸方向の長さｈは、旋回室直径方向の長さｄよりも長くなっている。本実施例では、旋回室流入路６を旋回室７に接線方向から連通するように構成し、旋回室流入路６の外側端面が旋回室７の内壁と一致するようにした。
【００２６】
つまり、旋回室７に洗浄水を供給する旋回室流入路６は、当該流入路の方向と直行し旋回室７の中心軸を通る断面（C-C断面）に対して、旋回室７の中心軸より偏心した位置にあり、その流入路断面形状は、旋回室７の半径方向の長さよりも旋回室７の軸方向の長さ方向に長くされている。
【００２７】
図６に示すように、本実施例の旋回室流入路６は、図における縦長の長円形状の流路を有するので、旋回室直径方向の長さｄを直径とする円形形状の流路を有する既存の旋回室流入路に比して、流入路断面積は、大きくなる。このため、この旋回室流入路６から旋回室７に流入する洗浄水の入水速度を低くすることができ、旋回部材４の回転数を低くすることができる。
【００２８】
また、旋回室流入路６の断面積が円形の断面形状の既存の旋回室流入路と同じ場合は、この旋回室流入路６は、その断面形状が旋回室７の半径方向に小さいため、旋回室７の軸方向の長さが長くなる（ｄ＜ｈ）。よって、旋回室７の軸方向で長く半径方向で狭くなった流れとして、洗浄水は旋回室７に流入する。このため、洗浄水は旋回室内でスムーズに旋回することになり、次の利点がある。
【００２９】
旋回室７の直径が大きければ、流入した洗浄水は旋回室内壁に沿って旋回しやすくなり、直径が小さくなるほど旋回はし難くなる。ところが、本実施例では、既述したように旋回室流入路６を旋回室７の軸方向に縦長の長円形状（ｄ＜ｈ）の流路としたので、旋回室７への洗浄水の流入を旋回室軸方向で長い流れとなるようにし、旋回室７へは、洗浄水流入当初から洗浄水自体がスムーズに流れ込んで旋回するようにした。よって、こうしたスムーズな旋回を当初から発現できる分だけ、旋回室７を直径の小さなものとすること、即ち、洗浄ノズル１を小型化することができる。
【００３０】
また、旋回室７へは洗浄水流入が旋回室軸方向で長い流れとして流入するので、旋回部材４と旋回室７内面との間に洗浄水が流れ込みやすくなり、旋回部材４の回りでは、洗浄水の流速差が顕著となる。このように、ある物体の回りで流体の流速差が起きると当該物体には揚力が作用することになり、この旋回部材４にあっても同様のことが起きる。よって、上記した洗浄水の流速差は旋回部材４に対しては揚力を作用させるので、流速差の顕著化により、確実に揚力を作用させて旋回部材４をより確実に旋回させることができる。
【００３１】
しかも、流入洗浄水の流れは半径方向の幅が狭いことから、旋回室流入路６から旋回室７への洗浄水流入に際して、洗浄水が旋回部材４に直接当たるような事態を抑制できる。特に、本実施例では、旋回室流入路６の外側端面が旋回室７の内壁と一致するように旋回室流入路６を最も偏心させたので、洗浄水が旋回部材４に直接当たるような事態をより確実に抑制できる。従って、旋回室７の内部での洗浄水の旋回の様子、即ち旋回流に不用意な乱れを起こさないようにできる。このため、旋回を起こした洗浄水の運動エネルギーから直接受ける力と該運動エネルギーにより生じる揚力および遠心力によって旋回する旋回部材４の旋回の安定化、例えば、旋回軌道の安定化や旋回速度の安定化等を図ることができる。こうした旋回の安定化により、旋回部材４からの吐水も安定化させることができる。さらに、旋回流が安定すれば、旋回部材４の回りの洗浄水の流速差も顕著となるので、確実に揚力を作用させて旋回部材４をより確実に旋回させることができる。
【００３２】
また、本実施例では、旋回室流入路６の外側端面が旋回室７の内壁と一致するように旋回室流入路６を最も偏心させたので、旋回室７の直径をさらに小さくすること、即ち、より一層の小型化が可能である。
【００３３】
旋回室ユニット２は、図７、図８に示すような構成に変形することもできる。
図７は、旋回室ユニット２０の上面図、図８は図７におけるB視である。この変形例にあっては、図７、図８に示すように、旋回室直径等は既述した通りであるものの、旋回室流入路６の形成位置が相違する。つまり、この変形例では、旋回室流入路６は、旋回室７の中心軸から偏心しているものの、やや旋回室７の軸方向によっている。
【００３４】
この変形例にあっても、旋回室流入路６の断面形状、偏心配置等により、既述した実施例とほぼ同様の効果を奏することができる。
【００３５】
ここで、上記の実施例における洗浄ノズル１からの洗浄水の吐水の様子を、図９に基づいて説明する。
洗浄ノズル１に供給された洗浄水は通水路５から旋回室流入路６に流れ込むが、旋回室流入路６はその通水路面積が通水路５より狭いことから、旋回室流入路６における洗浄水の流速は高まり、洗浄水はその運動エネルギーが大きくなった状態で旋回室７に流入する。また、旋回室流入路６は旋回室７に対して接線方向から洗浄水を流入するように構成されているため、旋回室７に流入した洗浄水は、旋回室７内部で旋回する。
このとき旋回部材４は、洗浄水から直接受ける力と該運動エネルギーにより生じる揚力および遠心力を大きく受け、ガイド３の貫通穴１１から一端を臨ませたまま、中心軸１３が旋回室７の中心軸１４に対して傾斜した状態で揺動を起こす。この際、旋回部材４の最大傾斜角度は、既述したように、最大角度規制ガイド１０により規制される。
【００３６】
以上のような構成で吐水された洗浄水の軌跡について説明すると、洗浄水が旋回室７の内部で旋回して旋回部材４は揺動するので、吐水口９にあっても旋回部材４の揺動に伴いその吐水方向を変えながら揺動する。よって、この吐水口９は、その吐水方向を変更しながら洗浄水を吐水するので、洗浄水は、螺旋状に拡大した軌道を描きながら吐水される。したがって、旋回部材４に設けた吐水口９の軌跡よりもはるかに大きい軌跡で吐水を揺動させることが可能となる。
【００３７】
第２の実施例について図面を用いて説明する。図１０〜図２２は本発明の第２の実施例に用いる洗浄ノズルをシャワー装置に用いた構成図であり、図１０は、シャワー装置３１の概略斜視図、図１１はシャワー装置３１の分解図である。図示するように、シャワー装置３１は、ヘッド部４０、旋回室ユニット５０、旋回部材６０、ガイド７０、ふた３２および吐水部８０とを備える。
【００３８】
また、図１２はシャワー装置３１の上面図、図１３は、図１２におけるＡ−Ａ断面図である。これら図面に示すように、給水源（図示せず）から供給された洗浄水は、シャワー装置３１に供給される通水路４１、バッファ室４２、旋回室５１の順に供給される。
【００３９】
ヘッド部４０について説明する。図１４は、ヘッド部４０の上面図である。通水路４１は、洗浄水がバッファ室４２の接線方向に入水するように構成されているため、洗浄水はバッファ室内で旋回する。このバッファ室４２は、旋回室ユニット５を取り囲むよう形成され、当該ユニットの周方向に洗浄水が満たされるように構成されている。そして、このバッファ室４２から旋回室５１へは、旋回室５１の回りを等分するピッチで旋回室流入路５２（５２ａ〜５２ｄ）が形成されている。なお、旋回部材６０がガイド７０の貫通穴７２から一端を臨ませている点、旋回部材６０が旋回室５１において洗浄水の旋回に伴う揚力・遠心力により揺動等する点については、既述した実施例における旋回部材４と旋回室７と変わるものではない。
【００４０】
ここで、旋回室ユニット５０について詳しく説明する。図１５は旋回室ユニット５０を説明するための説明図、図１６は図１５におけるB視である。この図１５、図１６に示すように、この旋回室ユニット５０における旋回室５１とそれぞれの旋回室流入路５２（５２ａ〜５２ｄ）の関係は、図５、図６で示した旋回室７と旋回室流入路６の関係と同じである。つまり、それぞれの旋回室流入路５２（５２ａ〜５２ｄ）は、その断面形状が旋回室５１の軸方向の長さｈが旋回室直径方向の長さｄより長い縦長の長円形状とされ、旋回室５１にその接線方向から繋がっている。
【００４１】
従って、旋回室流入路５２の個々に関して言えば、旋回室流入路６が奏する上記した作用・効果（洗浄水流入速度の低下、旋回室の小型化、旋回流の安定化等）をもたらすことができる。そして、本実施例では、バッファ室４２を備え、このバッファ室４２から複数の旋回室流入路５２で旋回室５１に洗浄水を流入する点で相違する。なお、この相違に基づく作用・効果については後述する。
【００４２】
次に、旋回部材６０について説明する。図１７に示すように、旋回部材６０は洗浄水が供給される給水口６１を、外周に４等分ピッチで備え、この給水口６１から先端側にかけて洗浄水の通水路６２を有する。また、旋回部材６０は、その下端に、旋回室ユニット５０における旋回室５１底面の突起部５４と干渉する干渉部６３を備える。このため、図１３に示すように、旋回部材６０は、旋回室ユニット５０に組み込まれた状態で、その中心軸６４が旋回室の中心軸５５に対して傾く構成となっている。
【００４３】
次に、ガイド７０について説明する。図１８に示すように、ガイド７０は、旋回部材６０がその一端（通水路６２の先端端）を臨ませる貫通穴７２を備える。また、ガイド７０は、図１９に示すように、既述したガイド３と同様、最大角度規制ガイド７１により旋回部材６０の最大傾斜角度を規制する。この場合、最大角度規制ガイド７１は略円形状とされているので、旋回部材６０の運動は、最大角度規制ガイド７１によって規制されるため、略円状に行われる。
【００４４】
次に、吐水部８０について説明する。この吐水部８０は、図１２、図１３に示すように、旋回部材６０の先端（通水路６２の先端側）に装着され、３等分ピッチで形成した吐水口８２から同時に洗浄水を吐水する。そして、図２１に示すように、吐水部８０は、吐水口８２の下端に整流部８１を備える。
洗浄水は、旋回部材６０から整流部８１に通水される。この時、旋回部材６０における通水路６２の断面積より、前記整流部８１の断面積の方を大きくしているため、洗浄水は、整流部８１に一旦溜められ、整流される。
整流された、洗浄水は、最終的に吐水口８２より突出される。吐水口８２は、3つ備えてあり、且つ洗浄水の吐水方向は、吐水部の中心軸から傾斜させてあるため、洗浄水は広範囲に吐水されることとなる。
【００４５】
以上のような構成のシャワー装置３１から吐水された洗浄水の軌跡について、図２２に基づいて説明する。
洗浄水は、通水路４１からバッファ室４２に供給され、旋回室ユニットの周方向に旋回しながら満たされる。この場合、図１５に示すように、通水路４１はバッファ室４２にほぼその接線方向から洗浄水を流入させて、洗浄水を図中反時計回りに旋回させる。旋回室流入路５２のそれぞれは、旋回室５１に既述したように接線方向から洗浄水を流入させ、旋回室５１においても反時計回りの旋回を起こす。従って、洗浄水は、旋回室５１内での旋回方向と同方向にバッファ室４２で旋回しつつ、それぞれの旋回室流入路５２から旋回室５１に流入し、旋回室７への流入の場合と同様、旋回部材６０の運動（旋回・揺動運動）を引き起こして、吐水部８０の吐水口８２から多方向に同時に吐水される。このため、洗浄水は、三つの吐水口８２からの三筋の吐水が回転しながら螺旋状に拡大するような軌跡で吐水される。したがって、本実施例によれば、より広い範囲に洗浄水を吐水できる。しかも、三つの吐水口８２をそれぞれ傾斜させているので、こうした傾斜を持った分だけ、広範囲の洗浄水吐水を図ることができる。なお、それぞれの吐水口８２を傾斜の無いものとすることができるほか、吐水部８０に単独の吐水口８２を形成するように構成することもできる。
【００４６】
以上説明した実施例のシャワー装置３１では、次のような利点がある。
シャワー装置３１は、まず、旋回室５１に洗浄水を流入させる旋回室流入路５２を複数路（４流路）有する分だけ、旋回室流入路の総断面積を増やすことができる。このため、給水された洗浄水の流量を既存のものと同じとしても、個々の旋回室流入路５２から旋回室５１に流入する洗浄水の入水速度を低くすることができる。よって、吐水に関与する旋回部材６０の回転数を低くすることができる。
【００４７】
また、次の利点がある。洗浄水は、バッファ室４２で満たされて複数の旋回室流入路５２を経て旋回室５１に流入する。こうした流入を起こすに当たり、それぞれの旋回室流入路５２（５２ａ〜５２ｄ）から旋回室５１への洗浄水流入は、その流入当初において、各旋回室流入路で同時で起きるのではなく、時間差を持って起きる。例えば、図１５に示すように、通水路４１に近い旋回室流入路５２ａとこれから離れた旋回室流入路５２ｄとでは、時間差を持って旋回室５１に洗浄水が流入する。よって、旋回部材６０は、最初に旋回室５１に流入した洗浄水でまず旋回を起こした状態とされ、こうした状態に旋回部材６０がある状況下で旋回室５１に次々と他の流入路（５２ｂ〜５２ｄ）から洗浄水が流入するので、旋回部材６０はより確実に旋回する。
【００４８】
また、各旋回室流入路から旋回室５１への洗浄水の流入量にあっても、その流入当初において差がある。例えば、通水路４１に近い旋回室流入路５２ａとこれから離れた旋回室流入路５２ｄとでは、旋回室流入路５２ａが旋回室流入路５２ｄよりも多くの量の洗浄水が流入する。これらの結果、旋回部材６０の始動性、即ち旋回する旋回部材６０からの吐水の始動性を高めることができる。
【００４９】
しかも、本実施例では、旋回室５１の突起部５４と旋回部材６０の干渉部６３を当初から干渉させ、旋回部材６０を傾斜した状態とする。よって、旋回室５１における旋回流に基づく上記した揚力の発生も素早く起き、遠心力も早期のうちに生じて旋回部材６０に作用する。よって、この点からも始動性が向上する。
【００５０】
また、旋回室５１の回りにこれを取り囲むバッファ室４２を設けているため、洗浄水の供給源（通水路４１）は一個所でよく、シャワー装置３１を小型化することができる。
【００５１】
また、それぞれの旋回室流入路５２を旋回室流入路６と同様の形状とした。よって、この旋回室流入路６を有する洗浄ノズル１で説明したように、それぞれの旋回室流入路５２により洗浄水の旋回室への入水速度低下をもたらすことができ、バッファ室４２と相まって、旋回部材の回転数をより低くすることができる。
【００５２】
また、個々の旋回室流入路５２から旋回室５１への流入洗浄水もスムーズとなり旋回も良好に起きるので、洗浄ノズル１の奏する効果がより顕著となる。
【００５３】
また、バッファ室４２に流入した洗浄水の旋回方向と旋回室５１に流入した洗浄水の旋回方向を既述したように同じにしたので、洗浄水は、バッファ室４２を経て旋回室５１によりスムーズに流入する。よって、スムーズな旋回流に基づく上記の効果を奏することができる。更に、上記のように同方向の旋回とする上で、旋回室流入路５２を不用意に長くする必要がないので、シャワー装置３１を小型化することが可できる。
【００５４】
次に、シャワー装置３１が有するバッファ室４２の変形例について説明する。図２３はバッファ室４２の変形例を示す説明図、図２４はバッファ室４２の他の変形例を示す説明図である。
図２３に示す変形例はバッファ室４２をその周壁形状が卵形に近似した異形形状のものとし、図２４に示す変形例はバッファ室４２の周壁に突起９０を有する。このような変形例では、バッファ室４２における洗浄水の旋回流に、流速の乱れや流れの様子の乱れを起こす。よって、これら変形例によれば、それぞれの旋回室流入路５２（５２ａ〜５２ｄ）から旋回室５１への洗浄水流入の際の既述した時間差や流入量の差異を確実に起こすので、上記したように始動性の向上等を図ることができる。
【００５５】
以上本発明の実施例について説明したが、本発明は上記の実施例や実施形態になんら限定されるものではなく、本発明の要旨を逸脱しない範囲において種々なる態様で実施し得ることは勿論である。
【００５６】
例えば、第２の実施例であるシャワー装置３１において、それぞれの旋回室流入路５２は、図１５に示すように、等間隔で形成されているが、複数の旋回室流入路５２で旋回室５１にて洗浄水の旋回を起こすことができればよく、等間隔での形成に限られない。つまり、図示するうちの一つの旋回室流入路５２を不等間隔で形成するようにすることもできる。
【図面の簡単な説明】
【図１】  本発明の第１の実施例に係わる洗浄ノズルの概略斜視図。
【図２】  本発明の第１の実施例に係わる洗浄ノズルの分解図。
【図３】  本発明の第１の実施例に係わる洗浄ノズルの上からの上面図。
【図４】  本発明の第１の実施例に係わる洗浄ノズルの横からの断面図。
【図５】  本発明の第１の実施例に係わる旋回室ユニットの上面図。
【図６】  本発明の第１の実施例に係わる旋回室ユニットのＢ視図。
【図７】  本発明の第１の実施例に係わる旋回室ユニットの上面図。
【図８】  本発明の第１の実施例に係わる旋回室ユニットのＢ視図。
【図９】  本発明の第１の実施例に係わる洗浄ノズルの吐水状態を示す説明図。
【図１０】  本発明の第２の実施例に係わるシャワー装置の概略斜視図。
【図１１】  本発明の第２の実施例に係わるシャワー装置の分解図。
【図１２】  本発明の第２の実施例に係わるシャワー装置の上からの上面図。
【図１３】  本発明の第２の実施例に係わるシャワー装置のＡ−Ａ断面図。
【図１４】  本発明の第２の実施例に係わるヘッド部の上からの上面図。
【図１５】  本発明の第２の実施例に係わる旋回室ユニット説明するための説明図。
【図１６】  本発明の第２の実施例に係わる旋回室ユニットのＢ視図。
【図１７】  本発明の第２の実施例に係わる旋回部材の概略斜視図。
【図１８】  本発明の第２の実施例に係わるガイド部の上からの上面図。
【図１９】  本発明の第２の実施例に係わるガイド部のＡ−Ａ断面図。
【図２０】  本発明の第２の実施例に係わる吐水部の上面図。
【図２１】  本発明の第２の実施例に係わる吐水部のＡ−Ａ断面図。
【図２２】  本発明の第２の実施例に係わるシャワー装置の吐水状態を示す説明図。
【図２３】  バッファ室４２の変形例を示す説明図。
【図２４】  バッファ室４２の他の変形例を示す説明図。
【符号の説明】
１…洗浄ノズル
２…旋回室ユニット
３…ガイド
４…旋回部材
５…通水路
６…旋回室流入路
７…旋回室
８…給水口
９…吐水口
１０…最大角度規制ガイド
１１…貫通穴
１２…旋回室流入路方向と直行し、旋回室の中心を通る軸
１３…旋回部材の貫通穴に突出している部分の中心軸
１４…旋回室の中心軸
２０…旋回室ユニット
３１…シャワー装置
３２…ふた
４０…ヘッド部
４１…通水路
４２…バッファ室
５０…旋回室ユニット
５１…旋回室
５２（５２ａ〜５２ｄ）…旋回室流入路
５４…突起
５５…旋回室の中心軸
６０…旋回部材
６１…給水口
６２…通水路
６３…干渉部
６４…旋回部材の貫通穴に突出している部分の中心軸
７０…ガイド
７１…最大角度規制ガイド
７２…貫通穴
８０…吐水部
８１…整流部
８２…吐水口
９０…突起
【図１】
0004341264.tif 000002
【図２】
0004341264.tif 000003
【図３】
0004341264.tif 000004
【図４】
0004341264.tif 000005
【図５】
0004341264.tif 000006
【図６】
0004341264.tif 000007
【図７】
0004341264.tif 000008
【図８】
0004341264.tif 000009
【図９】
0004341264.tif 000010
【図１０】
0004341264.tif 000011
【図１１】
0004341264.tif 000012
【図１２】
0004341264.tif 000013
【図１３】
0004341264.tif 000014
【図１４】
0004341264.tif 000015
【図１５】
0004341264.tif 000016
【図１６】
0004341264.tif 000017
【図１７】
0004341264.tif 000018
【図１８】
0004341264.tif 000019
【図１９】
0004341264.tif 000020
【図２０】
0004341264.tif 000021
【図２１】
0004341264.tif 000022
【図２２】
0004341264.tif 000023
【図２３】
0004341264.tif 000024
【図２４】
0004341264.tif 000025